(57)【要約】【課題】野外で使用して耐久性のある、デザイン性の家具に置いて、長方体、又は正方体の４面以上を格子状板で張っている長方体、又は正方体の野外用耐久性格子状ボックス体を提供する。【解決手段】屋外テラスに使用する立体ボックス体において、当該ボックス体にゴムの木材、又は楠の木材を使用して、縦３００〜１０００ｍｍ、横３００〜１２００ｍｍ、高さ３００〜１５００ｍｍの長方体、又は正方体であって、それらの６面体の形状のうち、４面以上を格子状板で張っている野外用耐久性格子状ボックス体である。【選択図】図１
0003206386.tif 000002
【実用新案登録請求の範囲】
【請求項１】
屋外テラスに使用する立体ボックス体において、当該ボックス体にゴムの木材、又は楠の木材を使用して、縦３００〜１０００ｍｍ、横３００〜２４００ｍｍ、高さ３００〜１５００ｍｍの長方体、又は正方体であって、それらの６面体の形状のうち、３面以上の面に全面的格子状板材を嵌め込んでいることを特徴とする屋外用耐久性格子状ボックス体。
【請求項２】
長方体、又は正方体の６面体の形状のうち、３面以上の面に張る格子状板材は、格子の大きさを１０〜２０ｍｍであって、格子状板の格子は、ゴムの木、又は楠の木の１〜３ｍｍの厚さの薄板を１０〜２０ｍｍに接着積層したものを使用し、各ボックスの縁辺部には３０〜１００ｍｍの幅の角材の枠体を取り付け、前記長方形、又は正方形の形状内部に格子状体を嵌め込むようにして、ボックス体の底部の４隅には脚部を取り付けていることを特徴とする請求項１に記載の屋外用耐久性格子状ボックス体。
【請求項３】
立体ボックス体は、屋外に設置されているものであって、カウンターテーブル、及びプランターボックス、及びテーブル、及び椅子として使用できることを特徴とする請求項１、又は請求項２に記載の屋外用耐久性格子状ボックス体。
【考案の詳細な説明】
【技術分野】
【０００１】本考案の立体ボックス体は、屋外に設置されているもので、カウンターテーブル、及びプランターボックスとして使用できる６面体の形状のうち、３面以上を格子状板で張って屋外用耐久性格子状ボックス体に関するものである。
【背景技術】
【０００２】一般に木製のプランターボックスとして、花のような比較的小さな鑑賞用植物を直植えしたり、鉢植えした植物を入れて使用することができるのは勿論のこと、通風性及び通気性に優れ、草花の周りを縁取りして著しく美観を高めることができる上、草花の周りに意識的に陰ひなたをつくり出して採光による幻想感を生み出すことができるプランターボックスを提供することを目的として、草花などを植えたり、鉢植した草花を入れる浅底の器部を下部に形成し、該器部の左右両側面から後面に至る箇所を立ち上げて壁面部を形成し、前記器部の上方に天板部を形成したものが提案されている（特許文献１参照）。【０００３】立体形のボックスとして軽量で、かつ現場におけるタイル貼設作業が不要で製造容易なタイル外装体を提供でき、プランターボックス、花壇構成体或いは花壇様フェンスなどとして使用して好適なタイル外装体も提供され、また、植木鉢の外装体、植木鉢自体、小物入れまたは灰皿入れなどとして使用して好適なタイル外装体を提供する方法が提案されている（特許文献２参照）。【０００４】屋外用プラスチック製プランターボックスに接着剤で、紫外線カット布を付け、耐候性塗料で仕上げ塗りした紫外線カット布付プランターボックスに関して、屋外用プラスチック製プランターボックスの、太陽光の当たる部分に接着剤を付け、接着剤に紫外線カット布を付け耐候性塗料を塗装する方法が提案されている（特許文献３参照）。【０００５】脚体の上端に天板を水平に取付けて成る屋外カウンターテーブルであって、軽くて組み立て易く、取扱いが便利なカウンターテーブルを提供するにおいて、脚体は金属製の桟を枠組みしてボードを嵌めた複数枚のパネルを上連結金具と下連結金具によって連結して構成し、そして脚体の下端にはアジャスターネジを取付けると共に、上端には天板を載せて止金具を介してネジ止めしているものが提案されている（特許文献４参照）。【０００６】カウンターテーブルの天板の前方連結部における平滑性と密着性を良好とし、かつ体裁をよくするために、フロントパネルの前方に、隣設する天板同士を連結する連結金具を配置し、連結金具の前に、天板の前縁と連続する下部エッジを配置する。連結金具をカバー体により遮蔽し、カバー体の高さは、フロントパネルの上端より低くする。下部エッジ及びカバー体により、体裁が保たれ、かつ連結金具による怪我が防止される。フロントパネルは、支持枠体に対して簡易な係止手段等で係止される方法が提案されている（特許文献５参照）。【０００７】屋外・野外に設置されている木材製であって、カウンターテーブル、及びプランターボックス、及びテーブル、及び椅子として使用できて、長期間で耐久性格子状ボックス体は存在していない。
【先行技術文献】
【特許文献】
【０００８】
【特許文献１】特開２００２−３４３４８号公報
【特許文献２】特開２００１−３７３４０号公報
【特許文献３】特開平１０−２０１３７４号公報
【特許文献４】特開２００６−６１５４９号公報
【特許文献５】特開平０９−２６２１６４号公報
【考案の概要】
【考案が解決しようとする課題】
【０００９】草花のような比較的小さな鑑賞用植物を直植えしたり、鉢植えした植物を入れて使用することができるのは勿論のこと、通風性及び採光性に優れ、草花の周りを木調の板で縁取りしたり、草花の周りに意識的に陰ひなたをつくり出したり、後上方からの採光により色の濃淡の変化や幻想感を生み出したり、さらには草花などと合わせて、遊び心、童心，神秘性、望郷性、野性味、ファンタジーな心などを生み出すことにより、鑑賞性を飛躍的に向上させることができる上、ミニチュアガーデンとして楽しむことができるプランターボックスを提供することを目的とする。【００１０】従来のカウンターテーブルの天板は木材チップを固めたパーティクルボードにメラミン化粧板を貼り合わせたものであり、脚板や仕切り板はスチール板や木製のボードが使用されている。従って、重量的にはかなり重いカウンターテーブルとなり、安定性は向上するが取り扱い難く、部品の状態で購入しても素人では組立てることは容易でない。このように、従来のカウンターテーブルには上記のごとき問題がある。本考案が解決しようとする課題はこれら問題点であり、軽くて組み立て易く、取扱いの便利なカウンターテーブルを提供する。
【課題を解決するための手段】
【００１１】屋外イベントに使用する立体ボックス体において、縦３００〜１０００ｍｍ、横３００〜２４００ｍｍ、高さ３００〜１５００ｍｍの長方体、又は正方体であって、それらの６面体の形状のうち、３面以上を格子状板で張って、当該ボックス体に使用する材料としてゴムの木、又は楠の木である野外用耐久性格子状ボックス体である。【００１２】長方体、又は正方体の６面体の形状のうち、３面以上を張る格子状板は、格子の大きさを１０〜２０ｍｍであって、格子状板の格子は、ゴムの木、又は楠の木の１〜３ｍｍの厚さの薄板を１０〜２０ｍｍに接着積層したものを使用し、各ボックスの角部には枠体材を設けて、長方形、又は正方形の形状内部に格子状体を嵌め込むようになって、ボックス体の底部の４隅には脚部を取り付けている。【００１３】立体ボックス体は、屋外に設置されているものであって、カウンターテーブル、及びプランターボックス、及びテーブル、及び椅子として使用できる。
【考案の効果】
【００１４】以上説明したように、本考案の野外用耐久性格子状ボックス体によると、通風性及び採光性に優れ、草花の周りを木調の板で縁取りしたり、草花の周りに意識的に陰ひなたをつくり出したり、後上方からの採光により色の濃淡の変化や幻想感を生み出したり、遊び心、童心，神秘性、望郷性、野性味、ファンタジーな心などを生み出す。【００１５】また本考案においては、脚板や仕切り板はスチール板や木製のボードが使用されている。従って、重量的にはかなり重いカウンターテーブルとなり、安定性は向上するが取り扱い難く、部品の状態で素人では組立てることは容易にすることができるようになった。
【図面の簡単な説明】
【００１６】
【図１】屋外用耐久性格子状ボックス体の斜視図  Ａ：カウンターテーブル  Ｂ：プランターボックス
【図２】屋外用耐久性格子状ボックス体のプランターボックス図  Ａ：平面図  Ｂ：側面図  Ｃ：正面図
【図３】屋外用耐久性格子状ボックス体におけるカウンターテーブルの図  Ａ：平面図  Ｂ：側面図  Ｃ：正面図
【考案を実施するための形態】
【００１７】以下、本考案の実施形態について図面に基づいて説明する。図１は、介護・高齢者用腰掛付収納ボックスの斜視図、図２、３は、シューズ、又は衣服の収納部の図（Ａ：平面図    Ｂ：側面図    Ｃ：正面図）、図４は、腰掛けて被着できる腰掛け部の図（Ａ：平面図    Ｂ：側面図    Ｃ：正面図）、図４は、立ち上がりでの手摺部と移動での手掛け部の図である。
【実施例１】
【００１８】立体ボックス体は、屋外に設置されているものであって、カウンターテーブル、として使用した。【００１９】屋外、或は野外イベントに使用する立体ボックス体において、当該ボックス体にゴムの木材を使用して、縦５００ｍｍ、横１５００ｍｍ、高さ１０００ｍｍの長方体であって、それらの６面体の形状のうち、４面を格子状板で張った。【００２０】長方体の６面体の形状のうち、４面に張る格子状板は、格子の大きさを１５ｍｍであって、格子状板の格子は、ゴムの木の１ｍｍの厚さの薄板を１５ｍｍに接着積層したものを使用し、各ボックスの縁辺部には３０ｍｍの幅の角材の枠体を取り付け、前記長方形の形状内部に格子状体を嵌め込むようにして、ボックス体の底部の４隅には脚部を取り付けた。
【実施例２】
【００２１】立体ボックス体は、屋外に設置されているものであって、プランターボックス、として使用した。【００２２】屋外、野外イベントに使用する立体ボックス体において、当該ボックス体にゴムの木材を使用して、縦６５０ｍｍ、横６５０ｍｍ、高さ６５０ｍｍの正方体であって、それらの６面体の形状のうち、４面以上を格子状板で張った。【００２３】正方体の６面体の形状のうち、４面に張る格子状板は、格子の大きさを１５ｍｍであって、格子状板の格子は、ゴムの木の１ｍｍの厚さの薄板を１５ｍｍに接着積層したものを使用し、各ボックスの縁辺部には４５ｍｍの幅の角材の枠体を取り付け、前記正方形の形状内部に格子状体を嵌め込むようにして、ボックス体の底部の４隅には脚部を取り付けた。
【実施例３】
【００２４】立体ボックス体は、屋外、野外に設置されているものであって、カウンターテーブル、として使用でした。【００２５】屋外、野外イベントに使用する立体ボックス体において、当該ボックス体に楠の木材を使用して、縦４５０ｍｍ、横６００ｍｍ、高さ１５００ｍｍの長方体、正方体であって、それらの６面体の形状のうち、３面を格子状板で張った。【００２６】長方体の６面体の形状のうち、３面に張る格子状板は、格子の大きさを１０ｍｍであって、格子状板の格子は、は楠の木の１ｍｍの厚さの薄板を１０ｍｍに接着積層したものを使用し、各ボックスの縁辺部には３０ｍｍの幅の角材の枠体を取り付け、前記長方形の形状内部に格子状体を嵌め込むようにして、ボックス体の底部の４隅には脚部を取り付けた。
【符号の説明】
【００２７】１．屋外用耐久性格子状ボックス体．
２．格子
３．枠体
４．カウンターテーブル、
５．プランターボックス
６．テーブル
７．格子板
【図１】
0003206386.tif 000003
【図２】
0003206386.tif 000004
【図３】
0003206386.tif 000005